(57)【特許請求の範囲】
【請求項１】
圧縮した被包装物品を搬出する筒部と、前記筒部との相対回転により、帯状包装部材供給手段から帯状包装部材を繰り出して前記筒部に巻き付ける巻き付け手段とから成り、前記筒部と前記帯状包装部材供給手段との相対位置を、前記帯状包装部材供給手段から繰り出される前記帯状包装部材の幅方向の一方の端縁が前記筒部の中心側に曲がり、前記筒部から搬出される前記被包装物品の外周縁を覆う状態で前記筒部の突出端側に巻かれるように設定し、前記筒部からの前記被包装物品の搬出とともに、前記帯状包装部材の幅方向の一方の端縁により前記被包装物品の外周縁を覆う状態での前記帯状包装部材の巻き付けと前記帯状包装部材供給手段からの繰り出しとが行われるように、前記帯状包装部材を前記筒部に巻き付けるように構成してあることを特徴とする圧縮物包装用予備巻き装置。
【請求項２】
請求項１に記載の圧縮物包装用予備巻き装置において、
帯状包装部材を巻き付けた状態で筒部から搬出された被包装物品をその搬出方向に直交する軸芯周りで回転させながら、帯状包装部材供給手段から前記帯状包装部材を供給して前記被包装物品の残余の２面にも前記帯状包装部材を巻き付ける他の巻き付け手段を備えてある圧縮物包装用予備巻き装置。
【請求項３】
圧縮した被包装物品を搬出する筒部に、前記被包装物品の搬出に先立って帯状包装部材供給手段から繰り出した帯状包装部材を、その幅方向の一方の端縁を内側に曲げ、その内曲がり部分で搬出される前記被包装物品の外周縁を受け止めるように予備巻きしておき、その予備巻きした前記筒部から前記被包装物品を搬出し、その搬出とともに前記帯状包装部材を前記被包装物品に巻き付けるとともに前記帯状包装部材供給手段から前記帯状包装部材を繰り出し、前記被包装物品に前記帯状包装部材を巻き付けて包装することを特徴とする圧縮物の包装方法。
【請求項４】
請求項３に記載の圧縮物の包装方法において、
被包装物品の搬出方向と平行な外周面に帯状包装部材を巻き付けた後、その状態で前記被包装物品の全体を筒部から搬出し、その被包装物品を搬出方向に直交する軸芯周りで回転させながら、帯状包装部材供給手段から前記帯状包装部材を繰り出し、前記被包装物品の搬出方向に直交する残余の２面にも前記帯状包装部材を巻き付けるものである圧縮物の包装方法。
【発明の詳細な説明】
【０００１】
【発明の属する技術分野】
本発明は、産業廃棄物などを圧縮した被包装物品を包装する圧縮物包装用予備巻き装置および圧縮物の包装方法に関する。
【０００２】
【従来の技術】
この種のものとしては、従来、特開平７−１６４１９０号公報に開示されているものがあった。
この公報例によれば、圧縮された廃棄物を排出する排出口に隣接させてスパイラル包装装置が設けられ、その後方にスパイラル包装装置で包装された廃棄物を搬送するコンベアが設けられ、コンベアとスパイラル包装装置とを同調させることにより、排出口から排出される圧縮された廃棄物をフィルムで包装するように構成されている。
【０００３】
【発明が解決しようとする課題】
しかしながら、上述従来例のものでは、排出口から排出されるに伴って廃棄物に対する圧縮力が解除され、排出直後にフィルムを巻き付けても、廃棄物が復元力により膨張し、廃棄物の一部が飛散してこぼれたり、包装物の形状が不安定になるなど、包装不良を招く欠点があった。
【０００４】
本発明は、このような事情に鑑みてなされたものであって、請求項１に係る発明の圧縮物包装用予備巻き装置は、圧縮物の復元力に起因する飛散を防止して包装できるようにすることを目的とし、請求項２に係る発明の圧縮物包装用予備巻き装置は、安定した形状に良好に包装できるようにすることを目的とし、請求項３に係る発明の圧縮物の包装方法は、圧縮物の復元力に起因する飛散を防止できるようにすることを目的とし、請求項４に係る発明の圧縮物の包装方法は、安定した形状に良好に包装できるようにすることを目的とする。
【０００５】
【課題を解決するための手段】
請求項１に係る発明の圧縮物包装用予備巻き装置は、上述のような目的を達成するために、圧縮した被包装物品を搬出する筒部と、前記筒部との相対回転により、帯状包装部材供給手段から帯状包装部材を繰り出して前記筒部に巻き付ける巻き付け手段とから成り、前記筒部と前記帯状包装部材供給手段との相対位置を、前記帯状包装部材供給手段から繰り出される前記帯状包装部材の幅方向の一方の端縁が前記筒部の中心側に曲がり、前記筒部から搬出される前記被包装物品の外周縁を覆う状態で前記筒部の突出端側に巻かれるように設定し、前記筒部からの前記被包装物品の搬出とともに、前記帯状包装部材の幅方向の一方の端縁により前記被包装物品の外周縁を覆う状態での前記帯状包装部材の巻き付けと前記帯状包装部材供給手段からの繰り出しとが行われるように、前記帯状包装部材を前記筒部に巻き付けるように構成する。
【０００６】
また、請求項２に係る発明は、前述のような目的を達成するために、
請求項１に記載の圧縮物包装用予備巻き装置において、
帯状包装部材を巻き付けた状態で筒部から搬出された被包装物品をその搬出方向に直交する軸芯周りで回転させながら、帯状包装部材供給手段から前記帯状包装部材を供給して前記被包装物品の残余の２面にも前記帯状包装部材を巻き付ける他の巻き付け手段を備えて構成する。
【０００７】
また、請求項３に係る発明の圧縮物の包装方法は、前述のような目的を達成するために、圧縮した被包装物品を搬出する筒部に、前記被包装物品の搬出に先立って帯状包装部材供給手段から繰り出した帯状包装部材を、その幅方向の一方の端縁を内側に曲げ、その内曲がり部分で搬出される前記被包装物品の外周縁を受け止めるように予備巻きしておき、その予備巻きした前記筒部から前記被包装物品を搬出し、その搬出とともに前記帯状包装部材を前記被包装物品に巻き付けるとともに前記帯状包装部材供給手段から前記帯状包装部材を繰り出し、前記被包装物品に前記帯状包装部材を巻き付けて包装することを特徴としている。
【０００８】
また、請求項４に係る発明は、前述のような目的を達成するために、
請求項３に記載の圧縮物の包装方法において、
被包装物品の搬出方向と平行な外周面に帯状包装部材を巻き付けた後、その状態で前記被包装物品の全体を筒部から搬出し、その被包装物品を搬出方向に直交する軸芯周りで回転させながら、帯状包装部材供給手段から前記帯状包装部材を繰り出し、前記被包装物品の搬出方向に直交する残余の２面にも前記帯状包装部材を巻き付けるように構成する。
【０００９】
【作用】
請求項１に係る発明の圧縮物包装用予備巻き装置の構成によれば、圧縮した被包装物品を筒部から搬出するときに、帯状包装部材の幅方向の一方の端縁を筒部の中心側に曲げた内曲がり部分で、搬出される前記被包装物品の外周縁を受け止め、搬出とともに被包装物品の外周縁を覆う状態で帯状包装部材を被包装物品に巻き付けるとともに帯状包装部材供給手段から帯状包装部材を繰り出して被包装物品を包装することができる。
【００１０】
また、請求項２に係る発明の圧縮物包装用予備巻き装置の構成によれば、帯状包装部材の幅方向の一方の端縁により被包装物品の外周縁を覆う状態で、帯状包装部材の搬出方向と平行な外周面を覆って包装した後、他の巻き付け手段により、被包装物品を搬出方向に直交する軸芯周りで回転させながら帯状包装部材供給手段から帯状包装部材を供給し、被包装物品の搬出方向に直交する残余の２面に帯状包装部材を巻き付け、被包装物品の全面を包装することができる。
【００１１】
また、請求項３に係る発明の圧縮物の包装方法の構成によれば、圧縮した被包装物品を筒部から搬出するのに先立って、帯状包装部材の幅方向の一方の端縁を内側に曲げ、その内曲がり部分で搬出される前記被包装物品の外周縁を受け止めるように予備巻きしておき、帯状包装部材を帯状包装部材供給手段から繰り出して、帯状包装部材の幅方向の一方の端縁により被包装物品の外周縁を覆う状態で帯状包装部材を被包装物品に巻き付けるとともに包装することができる。
【００１２】
また、請求項４に係る発明の圧縮物の包装方法の構成によれば、被包装物品の搬出方向と平行な外周面に帯状包装部材を巻き付け、その被包装物品を搬出方向に直交する軸芯周りで回転させながら帯状包装部材を巻き付けて、被包装物品の搬出方向に直交する残余の２面に帯状包装部材を巻き付け、被包装物品の全面を包装することができる。
【００１３】
【発明の実施の形態】
次に、本発明の実施例を図面に基づいて詳述する。
【００１４】
図１は、本発明に係る圧縮物の包装装置の実施例を示す全体平面図であり、装置本体１の上部に、被包装物品としての産業廃棄物を投入する投入口２が設けられ、その下方に圧縮手段としての油圧シリンダ３が設けられている。
【００１５】
油圧シリンダ３の伸長方向の先端側に、装置本体１の側壁と底板と天井板と、上下方向に摺動開閉可能なシャッター４と、圧縮された被包装物品を押し出して搬出する油圧シリンダ５に取り付けられた押し板６との間で圧縮空間Ｐが形成されている。
【００１６】
シャッター４よりも被包装物品の押し出し方向後方側に、包装機７が設けられ、その後方側に、鉛直方向の軸芯周りで回転可能な旋回台８が設けられるとともに、その旋回台８に第１のローラーコンベア９が設けられ、更に搬出用の第２のローラーコンベア１０が設けられている。
【００１７】
旋回台８の下方に、包装機７から引っ張り出して供給される帯状包装部材としての広幅の包装フィルムＦ（図４参照）の先端を挟持させるチャック１１が設けられるとともに、旋回台８に、広幅の包装フィルムＦおよび幅狭に絞り込まれた紐状体１２（図３参照）とを切断するカッター１３が設けられている。
【００１８】
包装機７は、次のように構成されている。
すなわち、図２の側面図、および、図３の要部の斜視図に示すように、装置本体１にリング状の支持輪体１４が設けられ、その支持輪体１４にボールベアリング（図示せず）を介して回転可能に旋回輪１５が設けられている。
【００１９】
旋回輪１５には、第１の電動モータ１６に取り付けられた主動プーリー１７が、テンションプーリー１８およびベルト１９を介して連動連結され、旋回輪１５を駆動回転して、後述する紐状体１２と広幅の包装フィルムＦとを被包装物品に巻き付けるように構成されている。
【００２０】
旋回輪１５に支持ブラケット２０が取り付けられ、その支持ブラケット２０に、紐状体１２を供給する第１のフィルム供給機２１と、広幅の包装フィルムＦを供給する帯状包装部材供給手段としての第２のフィルム供給機２２とが設けられている。
【００２１】
第１のフィルム供給機２１は、広幅の包装フィルムＦ１を巻いたフィルム供給ロール２３と、３個のガイドロール２４と、それらロール２３，２４の回転軸芯と直交する方向の軸芯周りで回転する一対の挟持ロール２５とから構成され、広幅の包装フィルムＦ１を絞り込んで紐状体１２に形成するようになっている。
【００２２】
また、第２のフィルム供給機２２は、広幅の包装フィルムＦを巻いたフィルム供給ロール２６と、４個のガイドロール２７とから構成されている。
ブラケット２０の端部に、重ね合わせ手段としての繰り出しロール２８が設けられ、その繰り出しロール２８に紐状体１２が内側になる状態で紐状体１２と広幅の包装フィルムＦが巻回され、図３および図４の拡大側面図に示すように、紐状体１２と包装フィルムＦとを密着させ、被包装物品Ｓに同時に接触する状態で供給するように構成されている。
【００２３】
支持ブラケット２０が旋回輪１５に回転可能に取り付けられるとともに、支持ブラケット２０と一体のプーリー２９と第２の電動モータ３０とがベルト３１を介して連動連結され、旋回輪１５の回転軸芯に直交する軸芯Ｘ周りで駆動回転するように設けられ、紐状体１２と包装フィルムＦとの供給姿勢を90°変更するように構成されている。
シャッター４は、図２に示すように、一対の油圧シリンダ３２，３２により駆動昇降して開閉するように構成されている。
【００２４】
図５の圧縮動作の説明に供する斜視図に示すように、旋回輪１５の内方に位置するように、圧縮空間Ｐに連なる搬出用角筒３３が設けられ、その搬出用角筒３３の突出端の４隅に切欠３４が設けられている。この搬出用角筒３３としては、断面円形の筒など各種の形状に変更でき、それらをして筒部と称する。
【００２５】
搬出用角筒３３と第２のフィルム供給機２２との相対位置が、第２のフィルム供給機２２から繰り出される広幅のフィルムＦの幅方向の２／３程度の部分が搬出用角筒３３の突出端側に巻かれるように、すなわち、フィルムＦの幅方向の１／３程度の部分が搬出用角筒３３の中心側に曲がり、フィルムＦの幅方向の一方の端縁が搬出される被包装物品Ｓの外周縁を覆う状態で巻かれるように設定されており、後述する予備巻きを行えるように構成されている。
【００２６】
この搬出用角筒３３と第２のフィルム供給機２２とから成るとともに、両者２２，３３の相対位置を、第２のフィルム供給機２２から繰り出される広幅のフィルムＦの幅方向の一方の端縁側（例えば、上述のような１／３程度の部分）を搬出用角筒３３の中心側に曲げ、フィルムＦの幅方向の一方の端縁が搬出される被包装物品Ｓの外周縁を覆う状態で搬出用角筒３３の突出端側に巻くように設定した構成から成るものをして圧縮物包装用予備巻き装置（請求項１）と称する。
【００２７】
次に、産業廃棄物を圧縮し、その圧縮した被包装物品Ｓを包装して搬出する一連の動作につき、図面を用いて説明する。
【００２８】
▲１▼圧縮工程
図５に示すように、投入口２から産業廃棄物Ｓ１を投入し、油圧シリンダ３によって圧縮する。それらの動作を繰り返し、図６の圧縮動作の説明に供する斜視図に示すように、圧縮空間Ｐ内に所定量の圧縮された被包装物品Ｓを得る。
【００２９】
▲２▼予備巻き・搬出工程
圧縮空間Ｐ内から被包装物品Ｓを取り出す前に、図６に示すように、紐状体１２と密着した広幅の包装フィルムＦをチャック１１に挟持させ、その状態で、第１および第２のフィルム供給機２１，２２を２〜３回程度回転させて搬出用角筒３３に巻いておく。
【００３０】
これにより、図７の予備巻き動作の説明に供する斜視図に示すように、広幅の包装フィルムＦの端縁Ｆ’を内側に曲げ、フィルムＦの幅方向の一方の端縁が搬出される被包装物品Ｓの外周縁を覆う状態で搬出用角筒３３に予備巻きし、その後に、チャック１１による挟持を解除しておく。
【００３１】
予備巻きされた状態でシャッター４を開き、図８の搬出動作の説明に供する斜視図に示すように、第１および第２のフィルム供給機２１，２２を回転して紐状体１２と密着した広幅の包装フィルムＦを供給して巻き付けながら、押し出し用の油圧シリンダ５を伸長する。
【００３２】
これに伴い、被包装物品Ｓの搬出方向の外周縁を包装フィルムＦの内曲がり部分Ｆ’で受け止め、更に、切欠３４で密着しながら包装フィルムＦと一体的に移動させて被包装物品Ｓを搬出し、紐状体１２および広幅の包装フィルムＦを螺旋状に搬出用角筒３３および被包装物品Ｓに巻き付け、搬出用角筒３３から旋回台８上の第１のローラーコンベア９上に移送していく。
【００３３】
上述した被包装物品Ｓの搬出と同調して包装フィルムＦを被包装物品Ｓの４面に巻き付けるための、油圧シリンダ５、第１および第２のフィルム供給機２１，２２とそれを回転する構成、ならびに、搬出用角筒３３から成る構成をして巻き付け手段と総称する。
【００３４】
▲３▼６面巻き工程
図９の６面巻き工程への移行動作の説明に供する斜視図に示すように、被包装物品Ｓを第１のローラーコンベア９上に移送した後、支持ブラケット２０を軸芯Ｘ周りで回転させ、広幅の包装フィルムＦの面方向が上下方向を向く姿勢に変更する。
【００３５】
次いで、図１０の６面巻き動作の説明に供する斜視図に示すように、旋回輪１５を所定角度（60°〜90°）の範囲にわたって往復回転させることにより、第１および第２のフィルム包装機２１，２２を上下移動させながら、旋回台８を回転し、搬出用角筒３３から搬出されたときに巻き付けられていなかった被包装物品Ｓの搬出方向に直交する残余の２面、すなわち、搬出方向前後の面に対しても紐状体１２および広幅の包装フィルムＦを螺旋状に被包装物品Ｓに巻き付け、巻き付け終了に伴って紐状体１２および広幅の包装フィルムＦをカッター１３で切断し、６面全面を包装した被包装物品Ｓを得る。
【００３６】
上述した、包装フィルムＦを巻き付けた状態で搬出用角筒３３から搬出された被包装物品Ｓをその搬出方向に直交する軸芯周りで回転させながら包装フィルムＦを供給して残余の２面にも包装フィルムＦを巻き付けるための、旋回台８、支持ブラケット２０を回転させる構成、ならびに、第１および第２のフィルム包装機２１，２２とそれを上下移動させる構成から成るものをして他の巻き付け手段と称する。
【００３７】
その後、図１１の最終搬出動作の説明に供する斜視図に示すように、得られた被包装物品Ｓを第２のローラーコンベア１０上に移送し、支持ブラケット２０を軸芯Ｘ周りで回転させて、最初の供給姿勢に戻してから、切断した広幅の包装フィルムＦの先端部をチャック１１に挟持しておく。
【００３８】
以上のようにして、産業廃棄物を圧縮し、その圧縮された被包装物品Ｓを予備巻きし、産業廃棄物の一部がこぼれて飛散しないようにしながら、その６面全面を紐状体１２および広幅の包装フィルムＦによって丈夫にかつ良好に包装し、取り扱いやすいようにして処理場に運搬したりできる。
【００３９】
上記実施例では、最初に、第１および第２のフィルム供給機２１，２２を被包装物品Ｓの周りで回転させて紐状体１２および広幅の包装フィルムＦを巻き付けるようにしているが、被包装物品Ｓ側を回転させるようにしても良く、それらの構成をも巻き付け手段と称する。
【００４０】
また、上記実施例では、第１のフィルム供給機２１により、広幅の包装フィルムＦと同じフィルムＦ１を絞り込むことにより紐状体１２を形成して供給するようにしているが、別途専用構成した紐状体を供給するように構成しても良い。
また、上記実施例では、紐状体１２と広幅の包装フィルムＦとを密着させて被包装物品Ｓを包装しているが、本発明としては、１枚のフィルムあるいは複数枚のフィルムで包装するものでも良く、それらをして帯状包装部材と称する。
【００４１】
また、上記実施例では、第１および第２のフィルム供給機２１，２２を搬出用角筒３３の周りで回転させて紐状体１２および広幅の包装フィルムＦを搬出用角筒３３に予備巻きするようにしているが、搬出用角筒３３側を回転させるようにしても良い。
【００４２】
上記圧縮物包装用予備巻き装置ならびに圧縮物の包装方法は、例えば、瓶の破損などによって液体等のこぼれを生じる虞れがある荷を詰めた段ボール箱を包装するような場合にも適用できる。
【００４３】
【発明の効果】
以上説明したように、請求項１に係る発明の圧縮物包装用予備巻き装置によれば、圧縮した被包装物品が筒部から搬出されるときに、帯状包装部材の幅方向の一方の端縁を筒部の中心側に曲げた内曲がり部分で、搬出される前記被包装物品の外周縁を受け止め、被包装物品の搬出方向の端面の外周縁側を、帯状包装部材の幅方向の一方の端縁で覆うことができるから、復元力によって被包装物品が膨らみ、その一部が飛散することを予備巻きされた帯状包装部材によって防止して被包装物品を包装できる。
【００４４】
また、請求項２に係る発明の圧縮物包装用予備巻き装置によれば、圧縮物の復元力に起因する飛散を防止した状態で帯状包装部材の搬出方向と平行な外周面を覆って包装するとともに、被包装物品の搬出方向に直交する残余の２面にも帯状包装部材を巻き付けて被包装物品の全面を包装できるから、安定した形状に良好に包装できる。
【００４５】
また、請求項３に係る発明の圧縮物の包装方法によれば、帯状包装部材の幅方向の一方の端縁を内側に曲げ、その内曲がり部分で搬出される前記被包装物品の外周縁を受け止めるように予備巻きし、被包装物品の搬出方向の端面の外周縁側を、予備巻きされた帯状包装部材の幅方向の一方の端縁で覆って筒部から搬出できるから、復元力によって被包装物品が膨らみ、その一部が飛散することを帯状包装部材により防止して被包装物品を包装できる。
【００４６】
また、請求項４に係る発明の圧縮物の包装方法によれば、圧縮物の復元力に起因する飛散を防止した状態で帯状包装部材の搬出方向と平行な外周面を覆って包装した後、被包装物品の搬出方向に直交する残余の２面にも帯状包装部材を巻き付けて被包装物品の全面を包装するから、被包装物品の復元力に起因する飛散を防止して、安定した形状に良好に包装できる。
【図面の簡単な説明】
【図１】本発明に係る圧縮物の包装装置の実施例を示す全体平面図である。
【図２】包装機の側面図である。
【図３】要部の斜視図である。
【図４】図２の要部の拡大側面図である。
【図５】圧縮動作の説明に供する斜視図である。
【図６】圧縮動作の説明に供する斜視図である。
【図７】予備巻き動作の説明に供する斜視図である。
【図８】搬出動作の説明に供する斜視図である。
【図９】６面巻き工程への移行動作の説明に供する斜視図である。
【図１０】６面巻き動作の説明に供する斜視図である。
【図１１】最終搬出動作の説明に供する斜視図である。
【符号の説明】
２２…フィルム供給手段としての第２のフィルム供給機
３３…搬出用角筒（筒部）
Ｆ…広幅の包装フィルム（帯状包装部材）
Ｓ…被包装物品
【図１】
0004849729.tif 000002
【図２】
0004849729.tif 000003
【図３】
0004849729.tif 000004
【図４】
0004849729.tif 000005
【図５】
0004849729.tif 000006
【図６】
0004849729.tif 000007
【図７】
0004849729.tif 000008
【図８】
0004849729.tif 000009
【図９】
0004849729.tif 000010
【図１０】
0004849729.tif 000011
【図１１】
0004849729.tif 000012